(57)【要約】【課題】 吊元側支柱と戸当り側支柱との間の開口幅の全幅域を通路として使用できるうえ、伸縮扉の設置場所の地表面が水勾配をつけている傾斜地であっても、伸縮扉の略９０度回転収納時にスムースに回転させることができ、扉体やヒンジ、あるいはキャスターに変形を加えることのない伸縮扉を提供する。【解決手段】パンタグラフ伸縮機構により伸び縮み可能な扉体２の吊元側端部が吊元側支柱１５に上下のヒンジ１７を介して水平方向に回転自在に取り付けている。各ヒンジ１７は吊元側支柱１５側に固定されたヒンジ軸１８と、このヒンジ軸が挿通嵌合される軸孔１９を有し扉体２側に固定された軸受筒部材２０からなり、少なくとも上側のヒンジ１７において軸孔１９がヒンジ軸１８に対し扉体２の設置される傾斜地の傾斜方向に対応してスライド自在に遊嵌されている。【選択図】図１２
2010189962.tif 000002
【特許請求の範囲】
【請求項１】
両端部にそれぞれ相反する向きに突起部（１２）、（１２）を形成した複数個のパンタグラフ部材（１３）を、相反する向きに突起部（７）、（７）を形成した複数個の垂直パネル体（１）の上下外方に配設し、垂直パネル体（１）とパンタグラフ部材（１３）の交差する中央部、及びパンタグラフ部材（１３）の突起部（１２）と隣接する垂直パネル体（１）の突起部（７）とをそれぞれ枢支連結した扉体（２）からなり、扉体（２）の吊元側支柱（１５）側に、垂直部（１６ａ）と、この垂直部（１６ａ）の上下端にそれぞれ連設され扉体（２）の中間部におけるパンタグラフ部材（１３）とほぼ同じ長さの上下支杆（１６ｂ）、（１６ｃ）とを有するコの字状取付枠（１６）を配設し、コの字状取付枠（１６）の上下支杆（１６ｂ）、（１６ｃ）の各端部と吊元側支柱（１５）から数えて二番目に位置する垂直パネル体（１）の突起部（７）、（７）、及び上下支杆（１６ｂ）、（１６ｃ）の各中央部と吊元側支柱（１５）に隣接する垂直パネル体（１）の中央部とをそれぞれ枢支連結し、コの字状取付枠（１６）の垂直部（１６ａ）を吊元側支柱（１５）に上下のヒンジ（１７）、（１７）を介して水平方向に回転自在に取り付けている伸縮扉において、
各ヒンジ（１７）は吊元側支柱（１５）側に固定されたヒンジ軸（１８）と、このヒンジ軸（１８）が挿通嵌合される軸孔（１９）を有しコの字状取付枠（１６）側に固定された軸受筒部材（２０）からなり、少なくとも上側のヒンジ（１７）において軸孔（１９）がヒンジ軸（１８）に対し扉体（２）の設置される傾斜地の傾斜方向に対応してスライド自在に遊嵌されていることを特徴とする伸縮扉。
【請求項２】
前記軸孔（１９）の断面形状が長孔形状に形成されている、請求項１記載の伸縮扉。
【発明の詳細な説明】
【技術分野】
【０００１】
本発明は、扉体がパンタグラフ伸縮機構により伸び縮み可能で、門扉、間仕切り等に好適な伸縮扉に関する。
【背景技術】
【０００２】
この種の伸縮扉として、たとえば、先に同一出願人により提案した図１５、図１６に示すようなものがある（特許文献１参照。）。そこでは、伸縮扉は、両端部にそれぞれ相反する向きに突起部３０、３０を形成した複数個のパンタグラフ部材３１を、上下両端部にそれぞれ相反する向きに突起部３２、３２を形成した複数個の垂直パネル体３３の上下外方に配設し、垂直パネル体３３とパンタグラフ部材３１の交差する中央部、及びパンタグラフ部材３１の突起部３０と隣接する垂直パネル体３３の突起部３２とをそれぞれ枢支連結した扉体３４からなり、扉体３４の吊元側支柱３５側に、扉体３４の中間部におけるパンタグラフ部材３１とほぼ同じ長さの支杆３６、３７を有するコの字状取付枠３８を配設し、コの字状取付枠３８の上下支杆３６、３７の端部と吊元側支柱３５から数えて二番目に位置する垂直パネル体３３の突起部３２、３２、及び上下支杆３６、３７の中央部と吊元側支柱３５に隣接する垂直パネル体３３の中央部とをそれぞれ枢支連結し、コの字状取付枠３８の垂直部を吊元側支柱３５に上下のヒンジ３９、３９を介して水平方向に回転自在に取り付けている。
【０００３】
このような構成の伸縮扉によれば、扉体３４の吊元側支柱３５側における上下部に、扉体３４の中間部のパンタグラフ部材３１とほぼ同じ長さの上下支杆３６、３７を有するコの字状取付枠３８を介在させ、上下支杆３６、３７の端部と吊元側支柱３５から数えて二番目に位置する垂直パネル体３３の突起部３２、及び上下支杆３６、３７の中央部と吊元側支柱３５に隣接する垂直パネル体３３の上下中央部とをそれぞれ枢支連結し、コの字状取付枠３８の垂直部を吊元側支柱３５に上下のヒンジ３９、３９を介して水平方向に回転自在に取り付けているので、複数個の垂直パネル体３３からなる扉体３４を縮めた状態とした場合、扉体３４は吊元側支柱３５の取付部より内側に張り出し、これを略９０度回転させて収納することで吊元側支柱３５の取付部より内方に留まるので、吊元側支柱３５を門柱や塀などの内側に近接して設けることができるとともに、吊元側支柱３５と戸当り側支柱４０との間の開口幅の全幅域を通路幅に使用できて車などの出入りに便利である。
【０００４】
また、吊元側支柱３５と扉体３４との間に、コの字状取付枠３８を介在して該取付枠３８の上下支杆３６、３７を扉体３４の垂直パネル体３３に枢支連結しているので、扉体３４の吊元側支柱３５に対する取付けが甚だ強靭で耐久性に富むものであり、また扉体３４を左右方向に伸長させた場合、扉体３４の吊元側支柱３５に隣接する垂直パネル体３３は、コの字状取付枠３８の内部に収納されて扉体３４とコの字状取付枠３８が混然一体の状態となり、左右方向に連続した垂直パネル体３３の幅広い繰り返し模様が表出されて、その美観は飛躍的に高まるというものである。
【０００５】
しかしながら、本発明者らは、門扉の設置場所の地表面に水切り勾配（水勾配）をつけている場合があり、こうした場合伸縮扉は略９０度回転収納時に水勾配が障害となってスムースに回転させることができず、扉体やヒンジ、あるいはキャスターに変形を加えることに気付いた。
【０００６】
従来、折畳み式あるいは伸縮式に開閉される門扉において設置場所の地表面に傾斜や凹凸等の障害があってもこれを回避するものとして、たとえば、折畳み式あるいは伸縮式に開閉される門扉本体の下部に車輪装置を設け、且つ該車輪装置を地面上に敷設したガイドレールでガイドさせながら開閉方向に走行させるようにした車輪装置付き門扉において、前記車輪装置は、前記門扉本体に対して上下にスライド自在とした縦杆と、該縦杆の下端部に取付けられていて前記ガイドレールに案内される車輪と、前記縦杆を門扉本体に対して下方に付勢するスプリングとを備えて構成したものがある（特許文献２参照）。これによると、門扉設置部が傾斜地であってガイドレールが傾斜状態に敷設されている場合であっても、縦杆の上下スライド作用とスプリングによる下方付勢作用とによって、門扉本体の開閉操作時に車輪の高さがガイドレールに対して上下方向に追従するようになり、傾斜地においても車輪装置付き門扉を設置することができるというものである。
また、門扉本体の下框の下面に、突起形成プレートとともに取付基板をねじ止めすることによってキャスター支持部材を長手方向任意位置に一体的に設置し、このキャスター支持部材に対してキャスターを設置したものもある（特許文献３参照）。これによると、キャスターは、下框の長手方向に移動できるから門柱と門扉本体をつなぐヒンジとの回動半径が可変となり、門扉本体先端と異なる回動軌跡を描くことによって地表の傾斜、凹凸等との障害を回避して門扉本体を外観良く下支え支持することができるというものである。
【先行技術文献】
【特許文献】
【０００７】
【特許文献１】登録実用新案第２５５７６１１号公報
【特許文献２】実開平６−６７７９７号公報
【特許文献３】特開２００４−１９３００号公報
【発明の概要】
【発明が解決しようとする課題】
【０００８】
しかしながら、地表面の傾斜や凹凸等との障害を回避するように構成した上記門扉では、車輪装置やキャスターの取付け手段に工夫を凝らすものであるため、それらの取付けに際し特殊な部材を用意する必要があり、その組立て、構造を複雑にするという問題があった。
本発明は、このような問題を解決するためになされたもので、その目的とするところは、吊元側支柱と戸当り側支柱との間の開口幅の全幅域を通路として使用できるうえ、伸縮扉と吊元側支柱とをつなぐヒンジの一部を少し改変するだけの簡単な手段で、伸縮扉の設置場所の地表面が水勾配をつけている傾斜地であっても、伸縮扉の略９０度回転収納時にスムースに回転させることができ、扉体やヒンジ、あるいはキャスターに変形を加えることのない伸縮扉を提供することにある。
【課題を解決するための手段】
【０００９】
本発明の伸縮扉は、請求項１に記載のように、発明の内容を理解し易くする為に図１〜図１４に示した符号を参照して説明すると、両端部にそれぞれ相反する向きに突起部１２、１２を形成した複数個のパンタグラフ部材１３を、相反する向きに突起部７、７を形成した複数個の垂直パネル体１の上下外方に配設し、垂直パネル体１とパンタグラフ部材１３の交差する中央部、及びパンタグラフ部材１３の突起部１２と隣接する垂直パネル体１の突起部７とをそれぞれ枢支連結した扉体２からなり、扉体２の吊元側支柱１５側に、垂直部１６ａと、この垂直部１６ａの上下端にそれぞれ連設され扉体２の中間部におけるパンタグラフ部材１３とほぼ同じ長さの上下支杆１６ｂ、１６ｃとを有するコの字状取付枠１６を配設し、コの字状取付枠１６の上下支杆１６ｂ、１６ｃの各端部と吊元側支柱１５から数えて二番目に位置する垂直パネル体１の突起部７、７、及び上下支杆１６ｂ、１６ｃの各中央部と吊元側支柱１５に隣接する垂直パネル体１の中央部とをそれぞれ枢支連結し、コの字状取付枠１６の垂直部１６ａを吊元側支柱１５に上下のヒンジ１７、１７を介して水平方向に回転自在に取り付けている伸縮扉において、各ヒンジ１７は吊元側支柱１５側に固定されたヒンジ軸１８と、このヒンジ軸１８が挿通嵌合される軸孔１９を有しコの字状取付枠１６側に固定された軸受筒部材２０からなり、少なくとも上側のヒンジ１７において軸孔１９がヒンジ軸１８に対し扉体２の設置される傾斜地の傾斜方向に対応してスライド自在に遊嵌されていることに特徴を有するものである。
【００１０】
これによると、扉体２の吊元側支柱１５側における上下部に、扉体２の中間部のパンタグラフ部材１３とほぼ同じ長さの上下支杆１６ｂ，１６ｃを有するコの字状取付枠１６を介在させ、上下支杆１６ｂ，１６ｃの端部と吊元側支柱１５から数えて二番目に位置する垂直パネル体１の突起部７、及び上下支杆１６ｂ、１６ｃの中央部と吊元側支柱１５に隣接する垂直パネル体１の上下中央部とを枢支連結し、コの字状取付枠１６の垂直部１６ａを吊元側支柱１５に回転自在に定着しているので、図１に示したように複数個の垂直パネル体１からなる扉体２を縮めた状態とした場合、扉体２は吊元側支柱１５の取付部より内側に張り出し、これを略９０度回転させて収納すると、縮めた状態の扉体２は吊元側支柱１５の取付部より内方に留まるので、吊元側支柱１５とこれに対向配備する戸当り側支柱４０との間の開口幅の全幅域を通路として使用できる。
【００１１】
軸受筒部材２０の軸孔１９がヒンジ軸１８に対し扉体２の設置される傾斜地の傾斜方向に対応してスライド自在であるので、伸縮扉の設置地面に水勾配がつけられていても、縮めた扉体２を略９０度回転させて収納する時、扉体２が軸孔１９と共にヒンジ軸１８に対し軸孔１９の長手方向にスライドすることで扉体２の略９０度回転時の水勾配を吸収できる。
【００１２】
請求項１記載の伸縮扉は、請求項２に記載のように、前記軸孔１９の断面形状は長孔形状に形成することができる。
【発明の効果】
【００１３】
本発明によれば、吊元側支柱と戸当り側支柱との間の開口幅の全幅域を通路として使用できるうえ、伸縮扉と吊元側支柱とをつなぐヒンジの軸孔をヒンジ軸に対し扉体の設置される傾斜地の傾斜方向に対応してスライド自在に遊嵌するという簡単な手段で、伸縮扉の設置場所の地表面に水勾配をつけている場合も、伸縮扉の略９０度回転収納時にスムースに回転させることができ、扉体やヒンジ、あるいはキャスターに変形を加えるのを防止できるという利点がある。
【図面の簡単な説明】
【００１４】
【図１】本発明の一実施例を示す伸縮扉の平面図である。
【図２】同伸縮扉の正面図である。
【図３】図２における右側面図である。
【図４】図２における左側面図である。
【図５】同伸縮扉の一部拡大平面図である。
【図６】同伸縮扉の垂直パネル体の正面図である。
【図７】同伸縮扉の垂直パネル体の平面図である。
【図８】同伸縮扉の扉体の吊元側端部、吊元側支柱、およびヒンジの分解斜視図である。
【図９】同伸縮扉を平地上で縮めた状態の正面図である。
【図１０】図９における右側面図である。
【図１１】同伸縮扉のヒンジの軸受筒部材の平面図である。
【図１２】同伸縮扉を傾斜地上で縮めた状態の平面図である。
【図１３】同伸縮扉を傾斜地上で縮めた状態の正面図である。
【図１４】同伸縮扉のヒンジの軸受筒部材の変形例を一部破断して示す平面図である。
【図１５】従来例の伸縮扉を示す平面図である。
【図１６】従来例の伸縮扉を示す正面図である。
【発明を実施するための形態】
【００１５】
以下、本発明の実施形態を図面に基づき説明する。
【００１６】
図１、図２に示すように、本発明に係る伸縮扉は、図１５、図１６に示す伸縮扉と基本的構成を略同じにするものであり、複数個の垂直パネル体１を備える扉体２からなる。図６、図７に示すように、各垂直パネル体１は、上下の框３、４の間に横格子体５を介在し、上下の框３、４及び横格子体５の両側に断面く字状側枠６、６を相反する向きに定着し、相反する向きの突起部７、７を形成している。垂直パネル体１の上框３の中央部には枢軸８を上向きに、下框４の中央部には枢軸９を下向きにそれぞれ突設し、上側の突起部７には枢軸１０を上向きに、下側の突起部７には枢軸１１を下向きにそれぞれ突設している。
【００１７】
図１、図２、図５に示すように、左右方向に複数個配設される各垂直パネル体１の上下外方には、両端部に相反する向きの突起部１２、１２を形成したリンクからなるパンタグラフ部材１３、１３をＸ字状に交差して配設する。垂直パネル体１の上下框３、４の各中央部に設けた枢軸８、９とパンタグラフ部材１３、１３の各中央部とは水平回動自在に枢支連結するとともに、垂直パネル体１の上下端部の各突起部７に設けた枢軸１０，１１と隣接するパンタグラフ部材１３の突起部１２とは水平回動自在に枢支連結して、扉体２の上下部にそれぞれパンタグラフ伸縮機構１４を備える。
【００１８】
吊元側支柱１５に扉体２を定着する。この定着に際しては、図１、図２、図８に示すように、扉体２の吊元側支柱１５側の一側には、垂直部１６ａと、この垂直部１６ａの上下端に連設され、扉体２の中間部におけるパンタグラフ部材１３とほぼ同じ長さの上下支杆１６ｂ，１６ｃとを有するコの字状取付枠１６を介在させて、コの字状取付枠１６の上下支杆１６ｂ、１６ｃの各端部を扉体２の一側から数えて二番目に位置する垂直パネル体１の上下外方に当接し、該垂直パネル体１の突起部７に設けた枢軸１０，１１を枢支連結するとともに、上下支杆１６ｂ、１６ｃの各中央部を扉体２の一側部に位置する垂直パネル体１の上下中央部に設けた各枢軸８，９にそれぞれ軸着し、コの字状取付枠１６の垂直部１６ａを吊元側支柱１５に上下のヒンジ１７、１７を介して水平方向に回転自在に連結する。ヒンジ１７は、図８に示すように、吊元側支柱１５側に軸支持金具２７及びビス２８等で垂直に固定されるヒンジ軸１８と、このヒンジ軸１８が挿通嵌合される軸孔１９を有し扉体２側のコの字状取付枠１６にビス２９等で固定される軸受筒部材２０からなる。なお、図２に示すように、本実施例の扉体２の移動端側（戸当り側支柱２１側）に施した垂直パネル体１及びパンタグラフ部材１３の左右幅は、中間部の垂直パネル体１及びパンタグラフ部材１３の約半分としている。図中、２２は扉体２の下部に取付けたキャスター、２３は門柱又は塀を示す。
【００１９】
このように構成された伸縮扉は、複数個の垂直パネル体１からなる扉体２を図１において伸長した状態（閉扉状態Ａ）から縮めた状態（開扉状態Ｂ）とした場合、扉体２は吊元側支柱１５の取付部より内側（家屋側）に張り出し、これを矢印Ｐ方向にヒンジ１７、１７を介して略９０度水平回転させると、吊元側支柱１５の取付部より内方に留まる状態（収納状態Ｃ）となるので、吊元側支柱１５を門柱や塀２３などの内側に近接して設けることができ、また吊元側支柱１５と戸当り側支柱２１との間の開口幅が扉体２の縮め幅（折り畳み幅）Ｗで狭められることなく、その全幅域を通路に有効使用できる。
【００２０】
また、吊元側支柱１５と扉体２との間に、コの字状取付枠１６を介在して該取付枠１６の上下支杆１６ｂ，１６ｃを垂直パネル体１に枢支連結しているので、扉体２の吊元側支柱１５に対する取付けが甚だ強靭で耐久性に富むものであり、また扉体２を左右方向に伸長させた場合、扉体２の吊元側支柱１５に隣接する垂直パネル体１は、コの字状取付枠１６の内部に収納されて扉体２とコの字状取付枠１６が混然一体の状態となり、左右方向に連続した垂直パネル体１の幅広い繰り返し模様が表出されて、その美観は飛躍的に高まる。
【００２１】
本発明は、上記のような伸縮扉において、この伸縮扉の設置地表面Ｇ．Ｌに水勾配（図１３において傾斜角度θ）が家屋側から道路側に向かって下り傾斜状につけられているとその傾斜が略９０度回転収納時の障害となるため、これを回避するために、上記ヒンジ１７を以下のように構成することに特徴がある。
【００２２】
すなわち、図１１〜図１３に示すように、上側のヒンジ１７において軸受筒部材２０の軸孔１９の断面形状はコの字状取付枠１６の上下支杆１６ｂ、１６ｃの長手方向に長い長孔形状に形成して、軸受け部材２０の軸孔１９がヒンジ軸１８に対し設置地表面の傾斜方向に対応してスライド自在に遊嵌している。
しかるときは、図１のように縮めた状態Ｂの扉体２を矢印Ｐ方向にヒンジ１７、１７を介して略９０度水平回転させる時、扉体２と共に軸受筒部材２０の断面長孔形状の軸孔１９がヒンジ軸１８に対し設置地表面の傾斜方向に対応してスライドすることで設置地表面の水勾配を吸収できるため、伸縮扉の略９０度回転収納時にスムースに回転させることができ（図１２、図１３参照）、扉体２やヒンジ１７、あるいはキャスター２２に変形を加えたりすることが無くなる。
【００２３】
ヒンジ１７はヒンジ軸１８と軸孔１９との間に遊び、主としてヒンジ軸１８に対して扉体２と共に軸受筒部材２０が上下方向にスライド可能な遊びをつけることが地表面の凹凸をも吸収できる点で好ましい。
【００２４】
上記実施例では、上側のヒンジ１７の軸孔１９のみを断面長孔形状に形成し、下側のヒンジ１７の軸孔１９は断面円形に形成したが、下側のヒンジ１７の軸孔１９も同じように断面長孔形状に形成するもよい。軸受筒部材２０は、図１４に示すように、断面長孔形状からなる軸孔１９に長孔調整ボルト２４を軸受筒部材２０の両側壁に設けた一対の案内溝２５に沿って軸孔１９の長さ方向に移動・固定可能に取付け、該長孔調整ボルト２４にナット２６或いはＥ形止め輪等を併装して軸孔１９の長さを任意長さに可変調整できるようにすることもできる。
なお、吊元側支柱１５としては、上記実施例では伸縮扉支持専用のものを示したが、これに代えて、門柱や塀端部を利用してこれらに直接上記伸縮扉の吊元側端をヒンジ１７を介して取り付けることもできる。
【符号の説明】
【００２５】
１ 垂直パネル体
２ 扉体
７  垂直パネル体の突起部
１２  パンタグラフ部材の突起部
１３ パンタグラフ部材
１４ パンタグラフ伸縮機構
１５ 吊元側支柱
１６ａ  垂直部
１６ｂ  上支杆
１６ｃ  下支杆
１６ コの字状取付枠
１７ ヒンジ
１８  ヒンジ軸
１９  軸孔
２０  軸受筒部材
【図１】
2010189962.tif 000003
【図２】
2010189962.tif 000004
【図３】
2010189962.tif 000005
【図４】
2010189962.tif 000006
【図５】
2010189962.tif 000007
【図６】
2010189962.tif 000008
【図７】
2010189962.tif 000009
【図８】
2010189962.tif 000010
【図９】
2010189962.tif 000011
【図１０】
2010189962.tif 000012
【図１１】
2010189962.tif 000013
【図１２】
2010189962.tif 000014
【図１３】
2010189962.tif 000015
【図１４】
2010189962.tif 000016
【図１５】
2010189962.tif 000017
【図１６】
2010189962.tif 000018